(57)【特許請求の範囲】
【請求項１】
車両のドアミラー装置の予め定められた位置に配置される車両用灯具であって、
帯状形態をなし、発光素子を有する発光部が表面実装されたフレキシブル基板と、
前記フレキシブル基板を保持し、前記発光部を露出させる開口部及び該開口部に隣接した光の反射面を備えるとともに、該開口部の内縁には当該発光部を挟持する挟持部が形成されたリフレクタと、
前記ドアミラー装置側に取り付けられる部材であって、前記リフレクタと合体された状態で、前記リフレクタの開口部の挟持部に固定された前記発光部の背後に前記フレキシブル基板を介して位置し、当該発光部の前記開口部からの抜けを防止する抜け止め部が形成されたベース部材と、
前記リフレクタを覆うようにベース部材に一体的に取り付けられたカバー部材と、を備え、
前記挟持部が、前記フレキシブル基板の長手方向で対向するように前記開口部の内縁に形成されたことを特徴とする車両用灯具。
【請求項２】
前記挟持部が、前記フレキシブル基板の幅方向で対向するように前記開口部の内縁に形成された請求項１に記載の車両用灯具。
【請求項３】
車両のドアミラー装置の予め定められた位置に配置される車両用灯具であって、
帯状形態をなし、その一方の側の面に発光素子を有する発光部が表面実装され、反対側の面の前記発光部と相対向する位置に硬質プレートが取り付けられたフレキシブル基板と、
前記フレキシブル基板を保持し、前記発光部を露出させる開口部及び該開口部に隣接した光の反射面を備えるとともに、該開口部の内縁には当該発光部を挟持する挟持部が形成されたリフレクタと、
前記ドアミラー装置側に取り付けられる部材であって、前記リフレクタと合体された状態で、前記リフレクタの開口部の挟持部に固定された前記発光部の背後に前記硬質プレートを介して位置し、当該発光部の前記開口部からの抜けを防止する抜け止め部が形成されたベース部材と、
前記リフレクタを覆うようにベース部材に一体的に取り付けられたカバー部材と、
を備えたことを特徴とする車両用灯具。
【請求項４】
前記リフレクタには、前記フレキシブル基板を保持する側の前記開口部近傍の該開口部を挟んだ両側に、前記フレキシブル基板の長手方向に延びる一対の凸状レール部が設けられており、
当該凸状レール部に前記硬質プレートが嵌め込まれた請求項３に記載の車両用灯具。
【請求項５】
前記硬質プレートが、前記フレキシブル基板の幅に合わせて形成された請求項３または４に記載の車両用灯具。
【請求項６】
前記挟持部が、前記フレキシブル基板の長手方向で対向するように前記開口部の内縁に形成された請求項３ないし５のいずれか１項に記載の車両用灯具。
【請求項７】
前記挟持部が、前記フレキシブル基板の長手方向及び幅方向で対向するように前記開口部の内縁に形成された請求項３ないし５のいずれか１項に記載の車両用灯具。
【請求項８】
請求項１ないし７のいずれか１項に記載の車両用灯具を備えることを特徴とする車両用ドアミラー装置。
【発明の詳細な説明】
【技術分野】
【０００１】
本発明は、車両用灯具及びその車両用灯具を備えた車両用ドアミラー装置に関する。
【背景技術】
【０００２】
車両は右左折又は進路の変更をすることを他の交通に示す必要があり、かつ、その照射光線が他の交通に妨げないものとして、灯光の色、明るさ等に関し、法規上視認等（定められた範囲においてすべての位置から見通すことができるものである）その他基準が規定されている（車両の種別によって異なる）。
【０００３】
例えば、車両の両側面に備える方向指示器にあっては、３０ｍの距離から昼間において点灯を確認できるものであり、かつ、その照射光線は、他の交通を妨げないものであることとされている。さらに、その両側面に備える方向指示器の規定には、図１４（ａ）に示すように方向指示器の中心を通り自動車（車両）の進行方向に直交する水平線Ｏ１を含む、水平面より上方１５度の平面及び下方１５度の平面、並びに図１４（ｂ）に示すように、方向指示器の中心を含む、自動車（車両）の進行方向に平行な鉛直面Ｏ２であって方向指示器の中心より後方にあるものより方向指示器の外側方向５度の平面及び方向指示器の外側方向６０度の平面により囲まれる範囲においてすべての位置から見通すことができるものである。
【０００４】
ところで、車両両側面に設けられたドアミラー装置は、路面から程よい高さにあるため、対向車や歩行者などの他の交通からも見やすい。従来より、この高い視認性の利点に着目して、車両が右左折又は進路の変更をするときに灯光する方向指示器（ウインカ）機能を取り付けたドアミラー装置が知られている。
【特許文献１】特開２００５−１８６６６９号公報
【０００５】
特許文献１の技術は、車両用ドアミラー装置においてそのミラーハウジングの内側にランプユニット（照明装置）が装着されたものを開示している。このランプユニットは、装飾光を発光させるものとして、表面にＬＥＤを表面実装したガラスエポキシ樹脂や配線を兼ねた金属プレートなどの基板が使用され、その裏面がランプレンズの断面形状に沿って固定されたものである。
【発明の開示】
【発明が解決しようとする課題】
【０００６】
しかしながら、特許文献１においては、ＬＥＤ（発光部）を備えた基板をランプレンズの断面形状に沿わせた状態で固定する方法について何ら記載がされていない。
【０００７】
ところで、上記したように、方向指示器においては、法規上照射しなければならない範囲が定められており、その方向に照射するように発光部が確実に固定されていることが求められる。例えば、リジッド基板であれば基板を固定する側に爪などを設けてその爪に基板を引っ掛けて固定することができ、また基板に穴をあけてネジ止めや熱カシメなどを行うことにより確実に固定することができるが、スペースにおける自由度が制限されるというジレンマがある。
【０００８】
また、フレキシブル基板であれば、可撓性及び追従性に優れるためスペースにおける自由度が高いが、それ故に固定方法が難しく、リジッド基板のように爪での固定やネジ止め、熱カシメなどを行うことができないため、例えば基板の裏面または表面の所定位置に両面テープを貼り、その両面テープによって固定する方法が考えられるが、両面テープでは、画一的に位置決めすることができず、さらにはずれたりする場合もあり、方向指示器のように法規上照射する範囲が定められているものには使用することができないという問題がある。
【０００９】
本発明は上記事情に鑑みなされたものであり、自由度の高いフレキシブル基板を使用していても、発光部がずれたりすることがなく、定められた範囲を照射することができる車両用灯具及びその車両用灯具を備えた車両用ドアミラー装置を提供することを課題とする。
【課題を解決するための手段及び発明の効果】
【００１０】
上記課題を解決するために、本発明の車両用灯具は、
車両のドアミラー装置の予め定められた位置に配置される車両用灯具であって、帯状形態をなし、発光素子を有する発光部が表面実装されたフレキシブル基板と、フレキシブル基板を保持し、発光部を露出させる開口部及び該開口部に隣接した光の反射面を備えるとともに、該開口部の内縁には当該発光部を挟持する挟持部が形成されたリフレクタと、ドアミラー装置側に取り付けられる部材であって、リフレクタと合体された状態で、リフレクタの開口部の挟持部に固定された発光部の背後にフレキシブル基板を介して位置し、当該発光部の開口部からの抜けを防止する抜け止め部が形成されたベース部材と、リフレクタを覆うようにベース部材に一体的に取り付けられたカバー部材と、を備え、
前記挟持部が、前記フレキシブル基板の長手方向で対向するように前記開口部の内縁に形成されたことを特徴とする。
【００１１】
通常、フレキシブル基板の被固定部材（リフレクタ又はベース部材）への固定方法は、上述したごとく基板の裏面または表面の所定位置に両面テープを貼り、その両面テープによって被固定部材に接着固定する方法があるが、この方法では画一的な位置決めを行うことが難しい。また、被固定部材（リフレクタ）としてフレキシブル基板が備える発光部に対応する位置にその発光部を露出させる開口部を備えたものがあり、この開口部に発光部を配置することである程度の位置決めを行うことができるが、この開口部は発光部に対してクリアランスが設けられており、このクリアランスの分だけ位置ずれを起す可能性がある。さらには、両面テープを用いるため、その両面テープを基板に貼る工程が必要であるため煩雑な組み立て工程である。上記本発明によれば、発光部が表面実装された帯状形態をなすフレキシブル基板が、その発光部を露出させる開口部及びその開口部に隣接した光の反射面を備えて、開口部の内縁に発光部を挟持する挟持部が形成されたリフレクタに保持されている。これによると、フレキシブル基板に表面実装された発光部が、リフレクタの開口部の内縁に形成された挟持部に挟持されているので、発光部が固定された状態となり、その発光部を位置決めした状態でフレキシブル基板を固定することができる。すなわち、発光部（フレキシブル基板）の位置決め工程を必要とせず、発光部を開口部に固定するだけで必然と位置決めされる（換言すれば、位置決めと固定とを同時に行うことができる）。ひいては、開口部の内縁に形成された挟持部に挟持されているので、例えばフレキシブル基板の撓みなどでずれる心配がない。
【００１２】
また、ドアミラー装置側に取り付けられるベース部材が、リフレクタと合体された状態でリフレクタの開口部の挟持部に固定された発光部の背後にフレキシブル基板を介して位置し、当該発光部の開口部からの抜けを防止する抜け止め部を形成し、さらにカバー部材がリフレクタを覆うようにベース部材に一体的に取り付けられている。これによると、開口部（挟持部）に固定された発光部の背後に抜け止め部が形成されているので、挟持部による固定（挟持）と抜け止め部による抜け防止（背後より固定、支持）との二重構造となり、発光部を開口部に確実に固定することができる。ひいては、発光部が発光することで定められた範囲を確実に照射することができる。さらには、カバー部材がリフレクタを覆うようにベース部材に一体的に取り付けられているので、一つのユニットとして構成することができ、ベース部材をドアミラー装置の予め定められた位置に取り付けるだけで、信頼のおける車両用灯具を提供することができる。
【００１３】
また、上記課題を解決するために、本発明の車両用灯具は、
車両のドアミラー装置の予め定められた位置に配置される車両用灯具であって、帯状形態をなし、その一方の側の面に発光素子を有する発光部が表面実装され、反対側の面の発光部と相対向する位置に硬質プレートが取り付けられたフレキシブル基板と、フレキシブル基板を保持し、発光部を露出させる開口部及び該開口部に隣接した光の反射面を備えるとともに、該開口部の内縁には当該発光部を挟持する挟持部が形成されたリフレクタと、ドアミラー装置側に取り付けられる部材であって、リフレクタと合体された状態で、リフレクタの開口部の挟持部に固定された発光部の背後に硬質プレートを介して位置し、当該発光部の開口部からの抜けを防止する抜け止め部が形成されたベース部材と、リフレクタを覆うようにベース部材に一体的に取り付けられたカバー部材とを備えたことを特徴とする。
【００１４】
上記本発明は、上述した作用効果を有する態様に、具体的にはフレキシブル基板において、発光部が表面実装された側と反対側の面のその発光部と相対向する位置に硬質プレートが取り付けられている。ここで、リフレクタにフレキシブル基板を組み付けるときには、すなわち、発光部を開口部の挟持部に組み付けるときには、フレキシブル基板を介して発光部をその背後から開口部に向けて指や専用の治具等を用いて押圧し挟持部に発光部が挟持されるように圧入する。通常、発光部はフレキシブル基板の表面に半田付けによって実装されており、その挟持部（開口部）への圧入の際に、柔軟性に優れるフレキシブル基板が撓むことがあり、その撓み等により半田に応力集中が発生して破損する惧れがあるが、硬質プレートが発光部に相対向する位置に設けられているので、かつ、硬質プレート全面で発光部を押圧することになるので、発光部近傍（硬質プレートに対応する領域）においてフレキシブル基板が撓むことがなくなり、半田への応力集中を軽減することができ、ひいては発光部を挟持部に容易に組み付けることができる。
【００１５】
また、ベース部材がリフレクタと合体された状態でリフレクタの開口部の挟持部に固定された発光部の背後に硬質プレートを介して位置し、発光部の開口部からの抜けを防止する抜け止め部を形成している。これによると、硬質プレートを介して抜け止め部が発光部の背後に位置しているので、直接抜け止め部がフレキシブル基板に接することがなくなり、抜け止め部が起因してフレキシブル基板が破損の惧れがない。
【００１６】
また、本発明の車両用灯具は、
リフレクタには、フレキシブル基板を保持する側の開口部近傍の該開口部を挟んだ両側に、フレキシブル基板の長手方向に延びる一対の凸状レール部が設けられており、当該凸状レール部に硬質プレートが嵌め込まれた構成をとることができる。これによると、凸状レール部に硬質プレートが嵌め込まれているので、すなわち、硬質プレートがフレキシブル基板の幅方向で凸状レール部に固定されているので、フレキシブル基板の幅方向における位置決めやフレキシブル基板（発光部）のずれ防止となり、確実に固定することができる。ひいては、発光部が発光することで定められた範囲を確実に照射することができる。
【００１７】
また、本発明の車両用灯具は、
硬質プレートが、フレキシブル基板の幅に合わせて形成された構成をとることができる。これによると、フレキシブル基板の幅に合わせて硬質プレートが形成されているので、その硬質プレート形成領域においてフレキシブル基板の撓みが防止または抑制されて、発光部を実装する半田等への応力集中を防止もしくは抑制して発光部を保護することができる。また、両者が略同一幅に形成されることで、硬質プレートを容易に定められた位置に取り付けることができる。
【００１８】
また本発明の車両用灯具は、
挟持部が、フレキシブル基板の長手方向で対向するように開口部の内縁に形成された構成をとることができる。例えばフレキシブル基板がリフレクタに保持された際に（発光部が開口部に固定された際に）、フレキシブル基板は帯状形態をなしているため、その厚さ方向に湾曲（撓む）させた状態で固定される。この時、フレキシブル基板は湾曲させた状態であるため、その長手方向に変形、すなわち移動（位置ずれ）し易いが、その長手方向上に沿って発光部を挟持しているので、効果的にフレキシブル基板を固定することができる。
【００１９】
また本発明の車両用灯具は、
挟持部が、フレキシブル基板の長手方向及び幅方向で対向するように開口部の内縁に形成された構成をとることができる。これによると、挟持部がフレキシブル基板の長手方向及び幅方向で対向するように開口部の内縁に形成されているので、フレキシブル基板をその長手方向及び幅方向において位置決め及びずれ防止することができる。
【００２０】
上記課題を解決するために、本発明の車両用ドアミラー装置は、
上記構成を有する車両用灯具を備えることを特徴とする。これによると、車両用ドアミラー装置は上記作用効果を有する車両用灯具を一体的に備えることができる。
【発明を実施するための最良の形態】
【００２１】
以下、本発明の実施の形態を、図面を用いて説明する。本実施例は、主として自動車（車両）のドアに装着される車両用ドアミラー装置及びその車両用ドアミラー装置に取り付けられる車両用灯具について例示しているが、本発明はこれらに限定されるものではなく、特許請求の範囲の趣旨を逸脱しない限りにおいて、当業者の知識に基づく種々の変更が可能である。
【００２２】
図１は、本発明に係る車両用ドアミラー装置の取り付け状態を示す斜視図、図２は、本発明に係る車両用ドアミラー装置の正面図、図３は、本発明に係る車両用灯具の取り付け状態を示す図である。図１ないし図３に示すように、車両用ドアミラー装置１００は、例えば車両Ｃの両側に設けられたドアＤにそれぞれ装着されている。この車両用ドアミラー装置１００は、ドアＤに取り付けられるミラーベース部１０１と、そのミラーベース部１０１に支持されるミラー本体部１０２とを備える。
【００２３】
このミラー本体部１０２は、車両Ｃ後方側に設けられ運転者又は搭乗者が後方を確認するためのミラー（図示せず）と、そのミラーを保持するミラーホルダ（図示せず）と、ミラーの角度調整を行なうアクチュエータ（図示せず）と、方向指示器などの役割を担う車両用灯具１と、それらミラー、アクチュエータ、及び車両用灯具１等の収納および保護を図るハウジング１０４と、上記アクチュエータの取り付けられるフレームの役目を果たすものであって、これらミラー、アクチュエータ、及び車両用灯具１をハウジング１０４に連結する役目を担う取り付け基盤（図示せず）と、その取り付け基盤の一方の端部に取り付けられて、ミラーベース部１０１に対してミラー本体部１０２を使用状態と格納状態との間の位置で回転駆動させる電動格納装置１０３とを含み構成される。なお、ハウジング１０４は、その全体がベッセル状の形態からなるものであり、例えばプラスチック材にて一体的に成形することができ、予め定められた場所に窓部１０５が形成されている。この窓部１０５に対応して車両用灯具１が外部に露出するように装着され、この状態で車両用灯具１の発光部（後述する）が点滅、点灯等することにより方向指示器等として機能し、他の交通に右左折又は進路変更などを示すこととなる。
【００２４】
次に、車両用灯具１について詳しく説明する。図４は、車両用灯具１の分解斜視図である。図４に示すように、車両用灯具１は、帯状形態をなすフレキシブル基板２と、そのフレキシブル基板２を内側に配置した状態で保持するリフレクタ３と、フレキシブル基板２を収納する形でリフレクタ３を装着するベース部材４と、リフレクタ３を覆うようにベース部材４に一体的に取り付けられるカバー部材５と、カバー部材５とハウジング１０４の窓部１０５内縁との隙間をシールするシール部材６とを備えている。
【００２５】
図５は、フレキシブル基板２の要部を示す平面図（Ａ）、底面図（Ｂ）及び側面図（Ｃ）である。図４及び図５に示すように、フレキシブル基板２（以下、基板ともいう）は、フレキシブル基板本体２１（以下、基板本体ともいう）と、後述する発光部にバッテリー電源を供給するためのリード部２２と、コネクタ部２３とを備えている。基板本体２１は、ポリイミド、ポリエステルなどをベースフィルムとした屈曲性に優れた銅張板であってパターン加工が施され、絶縁フィルムまたは液状レジストで被膜して使用することができ、適宜、ポリアミド紙基材エポキシ樹脂、ガラス布基材エポキシ樹脂、ガラス布基材ＢＴレジンなどを選択することができる。また、基板本体２１は、可撓性に富み、薄層で帯状形態をなし、その一方の側の面２１ａ（図面において上側の面。以下、表面２１ａともいう）に発光ダイオード（ＬＥＤ）である発光素子を有する発光部２４ａ，２４ｂ，２４ｃ，２４ｄ（以下、まとめて発光部２４ということもある）がパターン印刷された配線に接続される形で半田付けなどにより表面実装され、その反対側の面２１ｂ（図面において下側の面。以下、裏面２１ｂともいう）の発光部２４に相対向する位置に硬質プレート２５ａ，２５ｂ，２５ｃ（以下、まとめて硬質プレート２５ということもある）が両面テープ等により接着固定されて取り付けられている。
【００２６】
発光部２４は、基板本体２１においてリード部２２側を基端、反対側を先端とした場合に、その基板本体２１の先端領域に２つ（発光部２４ａ，発光部２４ｂ）、中央領域に１つ（発光部２４ｃ）、基端領域に１つ（発光部２４ｄ）実装されている。先端領域における発光部２４ａ，２４ｂ及び中央領域に位置する発光部２４ｃは、主として方向指示器の役目を担い、特に先端領域においては基板本体２１の幅方向に並んで２つ実装することで、車両用ドアミラー装置１００の形状及び取り付け角度上照射が困難である車両後方に対しても、図１３（ａ）に示すように水平線Ｏ１を挟んで上下１５度の範囲内領域を確実に照射することができる。また、後述するが、中央領域及び基端領域に所定間隔隔てた位置にそれぞれ発光部を設けることで、発光部２４ｃ，２４ｄの照射による車両用ドアミラー装置１００における意匠的効果を生み出すばかりでなく、基板本体２１をリフレクタ３に３箇所で固定することになり、より安定してフレキシブル基板２を保持することができる。
【００２７】
硬質プレート２５は、少なくともフレキシブル基板本体２１の可撓性（柔軟性）よりも硬く形成されたものであればよく、銅、銀、金、アルミニウム、ニッケル、白金、パラジウム等の金属材料又はセラミックなどの無機材料（非金属材料）等、特に限定されるものではないが、銅を代表とする放熱性の高い金属、ただし、腐食やコストの面からも考慮して、本実施例においては、金属材料としてアルミニウムまたはアルミニウム合金からなるＡｌプレートとしている。発光部２４は照射に伴いよく発熱するため、その相対向する裏面２１ｂにＡｌプレートを用いることで、効率よく放熱を促すことができる。ひいては、発光部２４の発熱による温度上昇を抑え、輝度劣化を低減し長寿命化を実現することができる。
【００２８】
また、リード部２２は、ベース部材４に形成されたリード固定穴４７にリード部２２を固定するための固定部２２ａを備える。なお、固定部２２ａは、弾性を有するゴム材で形成することができ、リード固定穴４７に差込易くなっている。
【００２９】
なお、フレキシブル基板２は、長手方向上における中心線（図示せず）において対称的に形成されている。例えばフレキシブル基板２を保持する後述するリフレクタ３などは車両用ドアミラー装置１００が車両Ｃの両側（左右）に対称的に設けられているため、左右それぞれの専用部品となり対称的ではあるが形状が異なる。このフレキシブル基板２を用いることで、そのフレキシブル基板２が備える可撓性により、その左右専用部品における形状の違いをカバーして左右共用部品として用いることができる。ひいては、部品点数を減少して製造コストを抑えることができる。
【００３０】
図６は、リフレクタ３を示す上方から見た斜視図１（Ａ）、下方から見た斜視図２（Ｂ）及び底面図（Ｃ）である。図４及び図６に示すように、リフレクタ３は、発光部が照射した光を反射する表面仕上げがなされていればよく、金属、樹脂、セラミックなど適宜材料を選択することができ、例えば蒸着、光沢塗装及びメッキなどを施した樹脂材料や、鏡面仕上げを施したアルミニウム等の金属材料とすることができる。また、リフレクタ３は、車両用ドアミラー装置１００（ハウジング１０４）の形状に倣って、側面視（図示せず）で先端に向かって湾曲した形状をなすリフレクタ本体３１と、そのリフレクタ本体３１の予め定められた位置（発光部２４に対応する位置）に、リフレクタ本体３１の上面で突出、または凹んで形成される壁部３２ａ，３２ｂ，３２ｃ（以下、まとめて壁部３２ということもある）と、その壁部３２を厚さ方向に貫通し、リフレクタ本体３１の内側で保持したフレキシブル基板２が備える発光部２４を露出させる開口部３３ａ，３３ｂ，３３ｃ（以下、まとめて開口部３３ということもある）と、壁部３２に隣接して開口部３３から露出させた発光部２４の照射を所望する範囲内に反射させる反射面３４ａ，３４ｂ，３４ｃ（以下、まとめて反射面３４ともいう）と、壁部３２の裏面（内側面）の開口部３３近傍でその開口部３３を挟んだ両側に、平行に延びる一対の凸状レール部３６ａ，３６ｂ，３６ｃとを備えている。
【００３１】
また、リフレクタ本体３１の内側には、フレキシブル基板２のリード部２２を保持するリード保持部３７と、リフレクタ本体３１をベース部材４に装着（合体）するためにベース部材４の係止穴部４５に係止される係止爪部３８と、組立作業性等の目的で切り欠かれた切欠部３９とを備える。
【００３２】
図７は、図６（Ａ）におけるＡ部、Ｂ部及びＣ部に対応する壁部３２の正面図、及び断面図である。図７（Ａ）に示すように、壁部３２ａには矩形形状の開口部３３ａが形成され、その内縁には対向するように爪状の挟持部３５ａが形成されている。挟持部３５ａは、開口部内縁で対向する一方側に２つ他方側に２つの一組とされ、この対向する４つの挟持部３５ａの間に発光部２４が１つ嵌め込まれる。これにより、発光部２４の位置ずれなどを防止もしくは抑制することができる。なお、断面図に示すように、壁部３２ａの裏面（内側）には凸状レール部３６ａが形成されており、挟持部３５ａは、この凸状レール部３６ａが延びる方向（フレキシブル基板２の長手方向）に沿って対向するように形成されている。後述するが、挟持部３５ａに発光部２４、及び凸状レール部３６ａに硬質プレート２５が固定されるので、挟持部３５ａがフレキシブル基板２の長手方向、凸状レール部３６ａがその幅方向で位置決め、かつ、ずれ防止を行うことができる。
【００３３】
また、挟持部３５ａは、先端に向かって先細り形状をなし、具体的には、リフレクタ本体３１の内側が、先端に向かって傾斜する傾斜面１３５ａを形成している。これにより、発光部２４を挟持部３５ａに嵌め込む際にその傾斜面１３５ａに沿って発光部２４が誘導されて簡単に嵌め込むことができる。なお、図７（Ｂ）及び図７（Ｃ）における壁部３２ｂ，３２ｃも壁部３２ａと同様の構成を成して形成されており、傾斜面１３５ｂ及び傾斜面１３５ｃになるに連れて、その傾斜角が大きく形成されている。これにより、スムーズに発光部２４を挟持部３５に嵌め込むことができる。
【００３４】
次に図８は、ベース部材を示す上方から見た斜視図（Ａ）、平面図（Ｂ）及び底面図（Ｃ）である。図４及び図８に示すように、ベース部材４は、後述するカバー部材５が溶着または接着可能なものであればよく、例えばＡＢＳ樹脂やＡＳＡ樹脂などの熱可塑性樹脂で形成され、車両用ドアミラー装置１００（ハウジング１０４）の形状に倣って、側面視（図示せず）で先端に向かって湾曲した形状をなす。また、ベース部材４は、平面視で略全領域に渡って形成され、上記リフレクタ３が嵌め込まれる（装着される）収納凹部４１と、その収納凹部４１の底面で隆起する形で形成され、リフレクタ３の開口部３３の挟持部３５に固定された発光部２４の背後で硬質プレート２５を介して発光部２４の開口部３３からの抜けを防止するための抜け止め部４２ａ，４２ｂ，４２ｃ（以下、まとめて抜け止め部４２ということもある）と、収納凹部４１の周縁に形成され、カバー部材５の周縁部５３が一体的に接着（溶着）される環状接着部４４と、リフレクタ３の係止爪部３８が係合される係止穴部４５と、車両用ドアミラー装置１００側に車両用灯具１を取り付けるための取付部４６と、フレキシブル基板２のリード部２２の固定部２２ａを固定するリード固定穴４７とを備えている。
【００３５】
抜け止め部４２は、ベース部材４がリフレクタ３と合体した状態で、すなわち、リフレクタ３がベース部材４の収納凹部４１内に位置し係合爪部３８と係合穴部４５とが係合された状態で、フレキシブル基板２における硬質プレート２５を、発光部２４を開口部３３に押し込む方向に押圧、もしくはそれに相対向して接近するストッパ面４３ａ，４３ｂ，４３ｃ（以下、まとめてストッパ面４３ということもある）を形成している。これによると、ストッパ面４３が硬質プレート２５を介して発光部２４の背後に位置するので、例えばフレキシブル基板２が可撓性を有するので引っ張りなどの外力を受けて発光部２４が挟持部３５（開口部３３）から引き抜かれそうになった場合にも、ストッパ面４３が硬質プレート２５を介してその移動を規制することができる。ひいては、発光部２４の位置ずれを防止することができ、信頼ある照射を行うことができる。
【００３６】
図４に戻り、カバー部材５について説明する。カバー部材５は、例えば、ポリメタクリル酸メチル（ＰＭＭＡ）、ポリカーボネート（ＰＣ）、ポリプロピレン（ＰＰ）、ＡＢＳ樹脂等の透明もしくは半透明の熱可塑性樹脂で形成され、車両用ドアミラー装置１００（ハウジング１０４）の形状に倣って、側面視（図示せず）で先端に向かって湾曲した形状をなし、ハウジング１０４に形成された窓部１０５から露出して、ドーム状に突出するドーム状レンズ部５１と、そのドーム状レンズ部５１に隣接して、ベース部材４に一体的に取り付けるカバー基部５２とを備えている。カバー基部５２の周縁部５３がベース部材４の環状接着部４４に熱溶着等の方法で接着される。また、シール部材６は、カバー部材５のドーム状レンズ部５１とカバー基部５２との連結部に沿った形状で形成され、その連結部位置で窓部１０５の内縁との間に介在することで、ミラー本体部１０２の内部に雨などの水滴、埃や風などの進入を防ぐことができる。
【００３７】
次に、本実施例に係る車両用灯具１及び車両用ドアミラー装置１００の組み立て方法の一例について説明する。図９は、組み立て方法の一例を示す図、図１０は、図９を別の方向から見た組み立て方法の一例を示す図、図１１は、図９及び図１０に続く図、図１２は、図１１に続く図である。まず、フレキシブル基板２をリフレクタ３の内側に装着する。具体的には、図９（Ａ）に示すように、フレキシブル基板本体２１の先端領域に設けられた発光部２４ａ，２４ｂをリフレクタ３の壁部３２ａに形成された開口部３３ａに内側から外側に向けて発光部２４ａ，２４ｂが挟持部３５ａに挟持されるように圧入して嵌め込む（図９（Ｂ）参照）。このとき、図１０（Ａ）に示すように、基板本体２１の発光部２４ａ，２４ｂの相対向する位置の裏面２１ｂには硬質プレート２５ａが設けられており、作業者が指又は専用の治具を用いてこの硬質プレート２５ａ越しに発光部２４ａ，２４ｂを背後から押し込むことになるので、発光部２４ａ，２４ｂを押し込む荷重は硬質プレート２５ａによる面全体となり、荷重が分散され半田への応力集中による破損を防止または抑制することができる。ひいては、破損することがないので歩留りもよくなる。なお、挟持部３５ａが、基板本体２１の長手方向に沿って形成されているので、発光部２４ａ，２４ｂはその長手方向において位置決めされ、さらには固定（ずれ防止）されることになる。
【００３８】
またこのとき、硬質プレート２５ａを介して発光部２４ａ，２４ｂを押し込むとともに、リフレクタ３の壁部３２ａの裏面（内側面）に設けられた一対の凸状レール部３６ａの間に硬質プレート２５ａが押し込まれている。これにより、この凸状レール部３６ａに硬質プレート２５ａが基板本体２１の幅方向において位置決めおよび固定されることになる。ひいては、硬質プレート２５ａが位置決めおよび固定されるので、発光部２４ａ，２４ｂが開口部３３ａにおいて位置決めおよび固定されている。これによると、発光部２４ａ，２４ｂが基板本体２１の長手方向および幅方向の２方向において位置決めされるので、特別な位置決め治具を用いることなく的確な位置にフレキシブル基板２をリフレクタ３に組み付けることができる。さらには、その２方向で固定されるので、ずれの発生を防止または抑制することができる。なお、発光部の位置決めおよび固定（仮止め）することができるので、従来のような両面テープによってフレキシブル基板２をリフレクタ３に固定しなくてもよい。
【００３９】
また、図７（Ａ）の断面図に示すように挟持部３５ａには、比較的傾斜角度の小さい傾斜面１３５ａが形成されているので、その傾斜面１３５ａに沿ってスムーズに発光部２４ａ，２４ｂを嵌め込むことができる。さらには、その傾斜面１３５ａは比較的傾斜角度が小さいので、換言すれば、挟持する部分（発光部接触面積）が比較的広く設けられているので、より強固に保持することができ、ひいては、発光部の位置ずれを防止または抑制することができ、所望する照射範囲内への照射を安定して得ることができる。
【００４０】
なお、挟持部３５ａおよび凸状レール部３６ａは、発光部２４ａ，２４ｂおよび硬質プレート２５ａの外形寸法と設計誤差を含み合わせて形成すればよく、適宜、ある程度のクリアランス（外形寸法より大きく）を設けて、位置決めする役目を担うだけでもよい。その場合には、発光部（フレキシブル基板）を位置決めできるので従来のように両面テープによって固定することもできる。
【００４１】
続いて、図１０（Ａ）に戻り、発光部２４ａ，２４ｂの組み付けと同様にして、硬質プレート２５ｂ，２５ｃを介して発光部２４ｃおよび発光部２４ｄを開口部３３ｂ（挟持部３５ｂ）および開口部３３ｃ（挟持部３５ｃ）に圧入して嵌め込み、さらにリード部２２を突設されたリード保持部３７の間に挟み込むように係止することでフレキシブル基板２をリフレクタ３の内側に装着することができる（図１０（Ｂ）参照）。
【００４２】
次に、図１１（Ａ）に示すように、フレキシブル基板２をリフレクタ３とベース部材４とで挟み込む形（収納する形）で、フレキシブル基板２を保持したリフレクタ３とベース部材４とを相対的に近づけていき、ベース部材４の収納凹部４１内にリフレクタ３を相対的に押し込み、リフレクタ３の各係止爪部３８が対応するベース部材４の係止穴部４５に係合して装着される（図１１（Ｂ）参照）。具体的には、図１１（Ｂ）に示すように、ベース部材４に設けられた抜け止め部４２のストッパ面４３が各発光部２４の背後に位置される。このとき、ストッパ面４３は、硬質プレート２５を発光部に向かって押圧するように設計してもよく、硬質プレート２５に接触またはそれに接近するだけにしてもよい。これにより、発光部２４は、上述したようにフレキシブル基板本体２１の長手方向および幅方向の２方向に位置決めおよび固定されるだけでなく、その２方向における垂直方向への固定（抜け防止）が施されることになる。すなわち、フレキシブル基板２をリフレクタ３に仮固定した後、ベース部材４を用いて完全固定となる。ひいては、所定間隔隔てた位置に実装された発光部２４が位置決めおよび固定されるので、その発光部２４が実装されたフレキシブル基板２をリフレクタ３とベース部材４との間で両面テープなどの接着手法を用いることなく固定を行うことができる。なお、予めリード部２２をベース部材４のリード固定穴４７に挿通させておき、固定部２２ａをそのリード固定穴４７に固定させておくと、装着がスムーズである。
【００４３】
次に、図１２に示すように、リフレクタ３を装着したベース部材４にカバー部材５を装着する。具体的には、ベース部材４に形成された環状接着部４４およびカバー部材５（カバー基部５２）の周縁部５３の両方またはどちらか一方の接着面を鉄板などで加熱溶融させ、さらに圧着することでベース部材４にカバー部材５を溶着（接着）することができる。これにより、フレキシブル基板２、リフレクタ３、ベース部材４並びにカバー部材５が一体的なユニットとして形成される。そして、カバー部材５のドーム状レンズ部５１の周縁に両面テープまたは接着剤などでシール部材６を取り付けることで車両用灯具１が完成する。そして、周知の組み立て方法により組み立てられた車両用ドアミラー装置１００の予め定められた位置にベース部材４の取付部４６に形成された孔にネジなどの締結部材を介して車両用灯具１を組み付け、コネクタ部２３を車両用ドアミラー装置１００側のコネクタと接続し、ハウジング１０４を装着して車両用ドアミラー装置１００が完成する。なお、シール部材６は、ハウジング１０４に形成された窓部１０５に沿った位置に予め形成しておいてもよく、その場合には、シール部材６を除いて車両用灯具１として完成することになる。
【００４４】
本実施例において、フレキシブル基板２において硬質プレート２５を備えたもので例示したが、硬質プレート２５は必須というわけではなく、省略することができる。その場合には、ベース部材４の抜け止め部４２のストッパ面４３が発光部２４の背後に位置し、そのストッパ面４３が直接フレキシブル基板本体２１を押圧もしくはそれに接近する形で発光部２４の抜け防止を行うことになる。開口部３３の内縁に設けられた挟持部３５により、十分な位置決め及び固定（ずれ防止）が可能であり、より簡単な構成とすることができ、部品点数が減少し、製造コストを抑制することができる。
【００４５】
次に上記実施例の変形例を説明する。図１３は変形例におけるリフレクタの壁部の正面図（図７に対応）を示す。なお、変形例において上記実施例と同様な部分の説明は同一の符号を付して詳細な説明を省略又は簡略化する。図１３（Ａ）に示すように、変形例における壁部３２ａの開口部３３ａの内縁には、フレキシブル基板２の長手方向で対向する挟持部３５ａとは別に、フレキシブル基板２の幅方向で対向する挟持部１３６ａが形成されている。これによると、発光部２４をフレキシブル基板２の長手方向と幅方向との２方向で位置決めおよび固定することができる。また、図１３（Ａ）において破線で示すように、開口部３３ａを区画する区画部１３３ａを形成し、その区画部１３３ａの内縁に挟持部１３６ａを形成してもよい。これによりフレキシブル基板２の幅方向において位置決めおよび固定することができるので、この場合には、幅方向における位置決めが施されるので硬質プレート２５を省略することができる。同様にして、図１３（Ｂ）および図１３（Ｃ）に示すように、開口部３３ｂ及び開口部３３ｃの内縁においてフレキシブル基板２の幅方向で対向する挟持部１３６ｂ及び挟持部１３６ｃが形成されており、図１３（Ａ）において破線で示したものと同様の作用効果を得ることができる。なお、挟持部の形成位置はこれらに限定されるものではなく、例えば放射線上に設けてもよく、発光部の角部を挟持部の先端部に嵌め込む形状としてもよい。
【図面の簡単な説明】
【００４６】
【図１】本発明に係る車両用ドアミラー装置の取り付け状態を示す斜視図。
【図２】本発明に係る車両用ドアミラー装置の正面図。
【図３】本発明に係る車両用灯具の取り付け状態を示す図。
【図４】本発明に係る車両用灯具の分解斜視図。
【図５】フレキシブル基板の要部を示す平面図、底面図及び側面図。
【図６】リフレクタを示す上方及び下方から見た斜視図、底面図。
【図７】図６に対応する壁部の正面図、及び断面図。
【図８】ベース部材を示す上方から見た斜視図、平面図及び底面図。
【図９】組み立て方法の一例を示す図。
【図１０】図９を別の方向から見た組み立て方法の一例を示す図。
【図１１】図９及び図１０に続く組み立て方法の一例を示す図。
【図１２】図１１に続く組み立て方法の一例を示す図。
【図１３】変形例に係る図７に対応する壁部の正面図。
【図１４】照射範囲領域を示す説明図。
【符号の説明】
【００４７】
１    車両用灯具
２    フレキシブル基板
３    リフレクタ
４    ベース部材
５    カバー部材
６    シール部材
２１  フレキシブル基板本体
２２  リード部
２３  コネクタ部
２４  発光部
２５  硬質プレート
３１  リフレクタ本体
３２  壁部
３３  開口部
３４  反射面
３５  挟持部
３６  凸状レール部
４１  収納凹部
４２  抜け止め部
４３  ストッパ面
４４  環状接着部
５１  レンズ部
１００  車両用ドアミラー装置
１０１  ミラーベース部
１０２  ミラー本体部
１０４  ハウジング
１０５  窓部
【図１】
0004688738.tif 000002
【図２】
0004688738.tif 000003
【図３】
0004688738.tif 000004
【図４】
0004688738.tif 000005
【図５】
0004688738.tif 000006
【図６】
0004688738.tif 000007
【図７】
0004688738.tif 000008
【図８】
0004688738.tif 000009
【図９】
0004688738.tif 000010
【図１０】
0004688738.tif 000011
【図１１】
0004688738.tif 000012
【図１２】
0004688738.tif 000013
【図１３】
0004688738.tif 000014
【図１４】
0004688738.tif 000015